(57)【特許請求の範囲】
【請求項１】
表示画面と、この表示画面の一端に位置する第１の外周縁部と、上記表示画面の他端に位置する第２の外周縁部とを有する表示パネルと、
上記表示パネルを収容するとともに、上記表示パネルの第１の外周縁部および第２の外周縁部と向かい合う一対の周壁を有するハウジングと、
上記ハウジングの一方の周壁と上記表示パネルの第１の外周縁部との間および上記ハウジングの他方の周壁と上記表示パネルの第２の外周縁部との間に夫々配置され、上記表示パネルを上記ハウジングに固定する一対の固定部材と、を具備し、
上記各固定部材は、上記ハウジングに固定される第１の固定部と、上記表示パネルの第１の外周縁部および第２の外周縁部に固定される第２の固定部と、上記第１の固定部と上記第２の固定部との間を連結する弾性変形が可能なばね部と、を有することを特徴とする表示装置。
【請求項２】
表示画面と、この表示画面の一端に位置する第１の外周縁部と、上記表示画面の他端に位置する第２の外周縁部とを有する表示パネルと、
上記表示パネルを収容するとともに、上記表示パネルの第１の外周縁部および第２の外周縁部と向かい合う一対の周壁を有するハウジングと、
上記ハウジングの一方の周壁と上記表示パネルの第１の外周縁部との間および上記ハウジングの他方の周壁と上記表示パネルの第２の外周縁部との間に夫々配置され、上記表示パネルを上記ハウジングに固定する一対の固定部材と、を具備し、
上記各固定部材は、上記表示パネルの第１の外周縁部および第２の外周縁部に夫々固定される一対の固定部と、これら固定部の間において上記ハウジングに固定される他の固定部と、上記表示パネルに固定される固定部と上記ハウジングに固定される他の固定部との間に跨る弾性変形が可能な一対のばね部と、を有することを特徴とする表示装置。
【請求項３】
請求項１又は請求項２の記載において、上記ハウジングは、上記表示パネルが固定される第１のカバーと、上記表示パネルの上記表示画面を露出させる開口部を有する第２のカバーとを備え、これら第１のカバーと第２のカバーとは、取り外し可能に連結されていることを特徴とする表示装置。
【請求項４】
請求項１ないし請求項３のいずれかの記載において、上記表示パネルは、上記表示画面を取り囲むフレームを有し、このフレームは上記表示画面の有効表示領域を定めていることを特徴とする表示装置。
【請求項５】
請求項１又は請求項２の記載において、上記一対の固定部材のばね部のばね力は、互いに均等であることを特徴とする表示装置。
【請求項６】
請求項１の記載において、上記第１の固定部、上記第２の固定部および上記ばね部は、金属板にて一体的に構成されていることを特徴とする表示装置。
【請求項７】
請求項２の記載において、上記一対の固定部、上記他の固定部および上記一対のばね部は、金属板にて一体的に構成されていることを特徴とする表示装置。
【請求項８】
機器本体と、
この機器本体に支持された表示装置と、を具備した電子機器であって、
上記表示装置は、
表示画面と、この表示画面の一端に位置する第１の外周縁部と、上記表示画面の他端に位置する第２の外周縁部とを有する表示パネルと、
上記表示パネルを収容するとともに、上記表示パネルの第１の外周縁部および第２の外周縁部と向かい合う一対の周壁を有するハウジングと、
上記ハウジングの一方の周壁と上記表示パネルの第１の外周縁部との間および上記ハウジングの他方の周壁と上記表示パネルの第２の外周縁部との間に夫々配置され、上記表示パネルを上記ハウジングに固定する一対の固定部材とを備えており、
上記各固定部材は、上記ハウジングに固定される第１の固定部と、上記表示パネルの第１の外周縁部および第２の外周縁部に固定される第２の固定部と、上記第１の固定部と上記第２の固定部との間を連結する弾性変形が可能なばね部と、を有することを特徴とする電子機器。
【請求項９】
機器本体と、
この機器本体に支持された表示装置と、を具備した電子機器であって、
上記表示装置は、
表示画面と、この表示画面の一端に位置する第１の外周縁部と、上記表示画面の他端に位置する第２の外周縁部とを有する表示パネルと、
上記表示パネルを収容するとともに、上記表示パネルの第１の外周縁部および第２の外周縁部と向かい合う一対の周壁を有するハウジングと、
上記ハウジングの一方の周壁と上記表示パネルの第１の外周縁部との間および上記ハウジングの他方の周壁と上記表示パネルの第２の外周縁部との間に夫々配置され、上記表示パネルを上記ハウジングに固定する一対の固定部材とを備えており、
上記各固定部材は、上記表示パネルの第１の外周縁部および第２の外周縁部に夫々固定される一対の固定部と、これら固定部の間において上記ハウジングに固定される他の固定部と、上記表示パネルに固定される固定部と上記ハウジングに固定される他の固定部との間に跨る弾性変形が可能な一対のばね部と、を有することを特徴とする電子機器。
【請求項１０】
請求項８の記載において、上記ハウジングは、上記表示パネルが固定される第１のカバーと、上記表示パネルの上記表示画面を露出させる開口部を有する第２のカバーとを備え、これら第１のカバーと第２のカバーとは、取り外し可能に連結されていることを特徴とする電子機器。
【請求項１１】
請求項１０の記載において、上記第１のカバーは、上記表示パネルおよび上記固定部材の第１の固定部が固定される支持壁を有し、この支持壁は上記開口部と向かい合うことを特徴とする電子機器。
【発明の詳細な説明】
【０００１】
【発明の属する技術分野】
本発明は、ハウジングの内部に液晶表示パネルを収容した表示装置およびこの表示装置を有するポータブルコンピュータのような電子機器に関する。
【０００２】
【従来の技術】
例えばポータブルコンピュータに用いられる液晶表示装置は、液晶表示パネルと、この液晶表示パネルを収容する箱形のハウジングとを備えている。液晶表示パネルは、偏平な矩形状をなしており、この液晶表示パネルの一面に画像を表示する表示画面が形成されている。また、液晶表示パネルの外周縁部には、金属製のフレームが取り付けられている。フレームは、表示画面を取り囲んでおり、このフレームにより表示画面の有効表示領域が定められている。
【０００３】
上記ハウジングは、ディスプレイカバーと、このディスプレイカバーに取り外し可能に連結されたディスプレイマスクとで構成されている。ディスプレイカバーは、液晶表示パネルを支える支持壁を有し、この支持壁の内面に複数のボス部が形成されている。ディスプレイマスクは、支持壁と向かい合う四角い開口部を有し、この開口部を通じて液晶表示パネルの表示画面がハウジングの外方に露出されるようになっている。
【０００４】
そして、従来の液晶表示装置では、フレームの左右両側部に夫々固定部材が固定されており、これら固定部材を上記ボス部にねじ止めすることで、液晶表示パネルが支持壁上の所定位置に固定されている。
【０００５】
ところで、最近のポータブルコンピュータは、表示品質や画像の視認性を高めるため、表示画面の大形化が進んでおり、これに伴い液晶表示パネルの幅寸法および高さ寸法が増大する傾向にある。このため、液晶表示パネルの外形寸法に公差やばらつきが生じ易くなり、それ故、フレームの左右両側部をボス部にしっかりと位置決め固定してしまうと、液晶表示パネルに無理な負荷が加わり、表示むらが生じることがあり得る。
【０００６】
このことから、従来では、一方の固定部材をボス部にリジッドに固定した後、他方の固定部材を支持壁に位置調節可能に取り付けることで、液晶表示パネルの寸法公差を吸収し、この液晶表示パネルに負荷が加わるのを防いでいる。具体的には、他方の固定部材をボス部にねじ止めするに当り、この固定部材にねじよりも大径なばか孔を形成し、このばか孔の開口縁部とねじとの間に生じた隙間で液晶表示パネルの寸法公差を吸収している。
【０００７】
【発明が解決しようとする課題】
ところが、この従来の構成によると、液晶表示パネルのうち、一方の固定部材に対応する側では、液晶表示パネルとディスプレイカバーとの位置は精度良く定まるものの、他方の固定部材に対応する側では、上記隙間の分だけ固定部材が支持壁に対し移動し得るので、液晶表示パネルとディスプレイカバーとの位置を精度良く定めることができなくなる。
【０００８】
すなわち、液晶表示パネルの幅寸法が規定値よりも小さい場合、この液晶表示パネルが一方の固定部材の方向に偏り、逆に液晶表示パネルの幅寸法が規定値よりも大きい場合には、この液晶表示パネルが他方の固定部材の方向に偏るといった不具合が生じてくる。
【０００９】
そのため、液晶表示パネルが固定されたディスプレイカバーにディスプレイマスクを連結した時に、このディスプレイマスクの開口部の中心と表示画面の中心とがハウジングの幅方向にずれてしまう。この結果、ディスプレイマスクの開口部の開口縁部が表示画面の有効表示領域の上に張り出して、この有効表示領域を部分的に覆い隠したり、あるいは開口部の開口縁部が有効表示領域の外側にずれて、フレームが開口部に露出するといった不具合が生じてくる。
【００１０】
本発明の目的は、表示パネルの寸法公差を吸収しつつ、この表示パネルをハウジングに精度良く位置決めすることができる表示装置を得ることにある。
本発明の他の目的は、上記表示装置を有する電子機器を得ることにある。
【００１２】
【課題を解決するための手段】
上記目的を達成するため、本発明の一つの形態に係る表示装置は、
表示画面と、この表示画面の一端に位置する第１の外周縁部と、上記表示画面の他端に位置する第２の外周縁部とを有する表示パネルと、
上記表示パネルを収容するとともに、上記表示パネルの第１の外周縁部および第２の外周縁部と向かい合う一対の周壁を有するハウジングと、
上記ハウジングの一方の周壁と上記表示パネルの第１の外周縁部との間および上記ハウジングの他方の周壁と上記表示パネルの第２の外周縁部との間に夫々配置され、上記表示パネルを上記ハウジングに固定する一対の固定部材とを備えている。
上記各固定部材は、上記ハウジングに固定される第１の固定部と、上記表示パネルの第１の外周縁部および第２の外周縁部に固定される第２の固定部と、上記第１の固定部と上記第２の固定部との間を連結する弾性変形が可能なばね部と、を有することを特徴としている。
上記目的を達成するため、本発明の一つの形態に係る電子機器は、
機器本体と、この機器本体に支持された表示装置と、を具備している。
上記表示装置は、
表示画面と、この表示画面の一端に位置する第１の外周縁部と、上記表示画面の他端に位置する第２の外周縁部とを有する表示パネルと、
上記表示パネルを収容するとともに、上記表示パネルの第１の外周縁部および第２の外周縁部と向かい合う一対の周壁を有するハウジングと、
上記ハウジングの一方の周壁と上記表示パネルの第１の外周縁部との間および上記ハウジングの他方の周壁と上記表示パネルの第２の外周縁部との間に夫々配置され、上記表示パネルを上記ハウジングに固定する一対の固定部材とを備えている。
上記各固定部材は、上記ハウジングに固定される第１の固定部と、上記表示パネルの第１の外周縁部および第２の外周縁部に固定される第２の固定部と、上記第１の固定部と上記第２の固定部との間を連結する弾性変形が可能なばね部と、を有することを特徴としている。
【００１３】
このような構成によると、表示パネルの外形寸法に公差やばらつきが生じた場合に、固定部材のばね部が表示画面を間に挟んだ両側において夫々弾性変形する。このため、表示パネルの寸法公差および寸法のばらつきを表示画面の両側で均等に吸収することができる。よって、表示パネルをハウジングの所定位置に偏りを生じることなく精度良く固定できる。
【００１８】
【発明の実施の形態】
以下本発明の実施の形態を、ポータブルコンピュータに適用した図面に基づいて説明する。
【００１９】
図１は、ポータブルコンピュータのような電子機器１を開示している。この電子機器１は、偏平な箱状をなす機器本体２と、この機器本体２に支持された液晶表示装置３とを備えている。
【００２０】
機器本体２は、パームレスト４を含む上面５を有し、この上面５の後半部にキーボード６が配置されている。上面５の後端部には、上向きに張り出す凸部７が形成されている。凸部７は、キーボード６の後方において機器本体２の幅方向に延びており、この凸部７の両端部に脚取り付け部８ａ，８ｂが形成されている。これら脚取り付け部８ａ，８ｂは、凸部７の周囲に開放された窪みにて構成されている。
【００２１】
液晶表示装置３は、偏平な箱状のハウジング１０と、このハウジング１０の内部に収容された液晶表示ユニット１１とを備えている。ハウジング１０は、第１のカバーとしてのディスプレイカバー１２と、第２のカバーとしてのディスプレイマスク１３とで構成されている。ディスプレイカバー１２は、四角い支持壁１４と、この支持壁１４の外周縁から立ち上がる左右および上下の周壁１５ａ〜１５ｄとを有している。そして、支持壁１４の下縁部には、機器本体２の脚取り付け部８ａ，８ｂに向かって延びる一対の脚本体１６ａ，１６ｂが一体に形成されている。
【００２２】
図１や図６に示すように、ディスプレイマスク１３は、平坦な前壁１７を有している。前壁１７は、支持壁１４と向かい合っており、この前壁１７の中央部に矩形状の開口部１８が形成されている。また、前壁１７の下縁部には、一対の脚カバー部１９ａ，１９ｂが一体に形成されている。
【００２３】
ディスプレイマスク１３は、前壁１７の外周縁部をディスプレイカバー１２の周壁１５ａ〜１５ｄに嵌め込むことで、このディスプレイカバー１２に取り外し可能に連結されている。ディスプレイマスク１３の脚カバー部１９ａ，１９ｂは、ディスプレイマスク１３をディスプレイカバー１２に連結した時に、脚本体１６ａ，１６ｂに突き合わされている。これら脚本体１６ａ，１６ｂおよび脚カバー部１９ａ，１９ｂは、互いに協働してハウジング１０の一端に一対の脚部２０ａ，２０ｂを構成している。これら脚部２０ａ，２０ｂは、ハウジング１０の脚取り付け部８ａ，８ｂに導かれているとともに、夫々ヒンジ金具２２を介して機器本体２に連結されている。
【００２４】
図２に示すように、ヒンジ金具２２は、第１のブラケット２３、第２のブラケット２４およびヒンジ軸２５を有している。第１のブラケット２３は、機器本体２の凸部７に収められて、この機器本体２に固定されている。第２のブラケット２４は、ディスプレイカバー１２の支持壁１４の左右両側部にねじ止めされている。ヒンジ軸２５は、第１のブラケット２３と第２のブラケット２４とを回動可能に連結しており、装置本体２の凸部７とハウジング１０の脚部２０ａ，２０ｂとの間に跨って水平に配置されている。
【００２５】
このため、液晶表示装置３のハウジング１０は、ヒンジ軸２５を支点として、上記パームレスト４やキーボード６を上方から覆うように倒される閉じ位置と、パームレスト４やキーボード６を露出させるように起こされる開き位置とに亘って回動可能に機器本体２に支持されている。
【００２６】
上記液晶表示ユニット１１は、平坦な液晶表示パネル２６を有している。液晶表示パネル２６は、その幅寸法Ｗ１が高さ寸法Ｈ１よりも大きく設定された矩形状をなしており、この液晶表示パネル２６の一面に文字等の画像を表示する表示画面２７が形成されている。
【００２７】
液晶表示パネル２６は、第１ないし第４の外周縁部２６ａ〜２６ｄを有している。第１および第２の外周縁部２６ａ，２６ｂは、液晶表示パネル２６の左右両端部に位置され、表示画面２７を間に挟んで互いに平行に配置されている。第３および第４の外周縁部２６ｃ，２６ｄは、液晶表示パネル２６の上下両端部に位置され、表示画面２７を間に挟んで互いに平行に配置されている。
【００２８】
液晶表示パネル２６の第１ないし第４の外周縁部２６ａ〜２６ｄは、金属製のフレーム２８によって覆われている。フレーム２８は、バックライトや導光板を支持するシャーシ（図示せず）と液晶表示パネル２６とを結合するためのもので、上記表示画面２７を取り囲んでいる。このため、表示画面２７の有効表示領域は、フレーム２８によって定められている。
【００２９】
液晶表示ユニット１１は、一対の固定部材３０を介してディスプレイカバー１２の支持壁１４に固定されている。この固定構造について説明すると、図６ないし図８に見られるように、ディスプレイカバー１２の支持壁１４は、その左右両側部に夫々ディスプレイマスク１３に向けて突出する複数のボス部３１を一体に備えている。ボス部３１は、ディスプレイカバー１２の左右の周壁１５ａ，１５ｂに隣接した位置において、液晶表示パネル２６の高さ方向に互いに離間して配置されており、夫々のボス部３１に位置決め用の凸部３２とねじ孔３３とが形成されている。
【００３０】
固定部材３０は、板金プレス加工された金属板にて構成されている。この固定部材３０は、第１の固定部３５、一対の第２の固定部３６ａ，３６ｂおよび弾性変形が可能な一対のばね部３７ａ，３７ｂとを一体に備えている。
【００３１】
第１の固定部３５は、液晶表示パネル２６の第１および第２の外周縁部２６ａ，２６ｂに沿って延びている。第１の固定部３５は、液晶表示パネル２６の高さ方向に離間した二箇所において上記ボス部３１の上面に重ね合わされており、この第１の固定部３５に、凸部３２が嵌合する嵌合孔３８と、ねじ孔３３に連なるねじ挿通孔３９とが形成されている。この第１の固定部３５は、ねじ挿通孔３９にディスプレイマスク１３の方向からねじ４１を挿通するとともに、このねじ４１をねじ孔３３にねじ込むことで支持壁１４の上のボス部３１に締め付け固定されている。そして、ボス部３１のうち、脚本体１６ａに近い一方のボス部３１と第１の固定部３５との間に上記ヒンジ金具２２の第２のブラケット２４が介在されており、この第２のブラケット２４は、第１の固定部３５と共にボス部３１に締め付け固定されている。
【００３２】
第２の固定部３６ａ，３６ｂは、液晶表示パネル１１の高さ方向に離間した二個所に位置され、第１の固定部３５を間に挟んで向かい合っている。これら第２の固定部３６ａ，３６ｂは、液晶表示パネル２６の第１および第２の外周縁部２６ａ，２６ｂに対応した位置において、上記フレーム２８に重ね合わされているとともに、このフレーム２８にねじ４２を介して締め付け固定されている。
【００３３】
ばね部３７ａ，３７ｂは、第１の固定部３５と両端部と第２の固定部３６ａ，３６ｂとの間に跨っている。ばね部３７ａ，３７ｂは、自由状態において液晶表示パネル２６の第１および第２の外周縁部に２６ａ，２６ｂに沿うように真っ直ぐに延びており、これらばね部３７ａ，３７ｂは、液晶表示パネル２６の幅方向に弾性変形するようになっている。そして、一対の固定部材３０のばね部３７ａ，３７ｂのばね力、すなわち、ばね部３７ａ，３７ｂの変形量は、互いに均等に設定されている。
【００３４】
そのため、本実施形態の場合、一対の固定部材３０は、互いに共通部品となっており、液晶表示パネル２６の第１の外周縁部２６ａおよび第２の外周縁部２６ｂに対する取り付け姿勢が液晶表示パネル２６の高さ方向に沿って互いに逆向きとなっている。
【００３５】
このような構成の電子機器１において、液晶表示ユニット１１をハウジング１０に収容する手順について説明する。
【００３６】
まず、液晶表示ユニット１１のフレーム２８に固定部材３０の第２の固定部３６ａ，３６ｂをねじ４２を介して固定し、これら固定部材３０を液晶表示パネル２６の第１および第２の外周縁部２６ａ，２６ｂに沿うように配置する。
【００３７】
次に、固定部材３０が一体化された液晶表示ユニット１１をディスプレイカバー１２の支持壁１４の上に載置する。そして、例えば左側の固定部材３０の第１の固定部３５を左側の周壁に１５ａに隣接されたボス部３１の上面に重ね合わせ、このボス部３１の凸部３２を嵌合孔３８に嵌め込むことで第１の固定部３５とボス部３１とを位置合わせするとともに、ねじ孔３３とねじ挿通孔３９とを合致させる。この状態で、ねじ挿通孔３９にねじ４１を挿通し、このねじ４１をねじ孔３８にねじ込む。これにより、液晶表示ユニット１１の左端部が固定部材３０を介して支持壁１４に固定される。
【００３８】
次に、右側の固定部材３０の第１の固定部３５を右側の周壁１５ｂに隣接されたボス部３１にねじ４１を用いて締め付け固定する。このことにより、液晶表示ユニット１１は、表示画面２７を間に挟んだ左右両側部でディスプレイカバー１２に固定される。
【００３９】
最後に、ディスプレイカバー１２の周壁１５ａ〜１５ｄにディスプレイマスク１３の前壁１７の外周縁部を嵌め込み、このディスプレイマスク１３の前壁１７で液晶表示ユニット１１の外周部を覆い隠す。これにより、液晶表示パネル２６の表示画面２７がディスプレイマスク１３の開口部１８を通じて外方に露出され、液晶表示装置３の組み立てが完了する。
【００４０】
ところで、液晶表示パネル２６は、その幅寸法Ｗ１が高さ寸法Ｈ１より大きいために、この液晶表示パネル２６の幅寸法Ｗ１に公差が生じたり、寸法のばらつきが大きくなるのを避けられない。この際、液晶表示パネル２６の幅寸法Ｗ１が規定値であれば、図２や図４に示すように、固定部材３０のばね部３７ａ，３７ｂは、液晶表示パネル２６の第１および第２の外周縁部２６ａ，２６ｂに沿うように真っ直ぐな形状を維持している。
【００４１】
これに対し、液晶表示パネル２６の幅寸法Ｗ１が規定値よりも小さい場合は、図３や図５に示すように、固定部材３０のばね部３７ａ，３７ｂが表示画面２７を間に挟んだ左右両側において夫々弓形に弾性変形する。この際、各固定部材３０のばね部３７ａ，３７ｂのばね力は、互いに均等に設定されているので、これらばね部３７ａ，３７ｂの変形度合が等しくなり、液晶表示パネル２６の幅寸法Ｗ１の公差やばらつき分を表示画面２７を間に挟んだ左右両側で均等に吸収することができる。このため、液晶表示パネル２６を支持壁１４上の所定位置に偏りを生じることなく精度良く固定することができる。
【００４２】
したがって、液晶表示ユニット１１が固定されたディスプレイカバー１２にディスプレイマスク１３を固定した時に、このディスプレイマスク１３の開口部１８の中心と液晶表示パネル２６の表示画面２７の中心とが精度良く合致する。よって、開口部１８の開口縁部が表示画面２７の有効表示領域に張り出して、この有効表示領域を部分的に覆い隠したり、あるいは表示画面２７を取り囲むフレーム２８が開口部１８に露出されずに済み、液晶表示装置３の外観を良好に維持することができる。
【００４３】
なお、液晶表示パネル２６に生じる寸法公差は、例えば１５型の液晶表示パネル２６であっても０．５ｍｍ程度であるため、上記図３や図５では、理解を容易にするため寸法公差が生じた時のばね部３７ａ，３７ｂの変形状態を誇張して示している。
【００４４】
また、上記実施の形態では、液晶表示パネルの左右両側部を固定部材を介して支持壁に固定したが、本発明はこれに限らず、例えば液晶表示パネルの上下両端部を固定部材を介して支持壁に固定したり、あるいは液晶表示パネルの上下および左右両側部の四個所を固定部材を介して支持壁に固定しても良い。
【００４５】
さらに、本発明に係る表示装置は、ポータブルコンピュータ用に特定されるものではなく、例えばデスクトップ形のコンピュータあるいはポータブルＤＶＤプレーヤのような他の電子機器にも同様に実施可能である。
【００４６】
【発明の効果】
以上詳述した本発明によれば、表示パネルの寸法公差および寸法のばらつきを固定部材のばね部によって吸収することができ、表示パネルをハウジングの所定位置に偏りを生じることなく固定できるといった利点がある。
【図面の簡単な説明】
【図１】本発明の実施の形態に係るポータブルコンピュータの斜視図。
【図２】ディスプレイカバーの支持壁に一対の固定部材を介して液晶表示ユニットを固定した状態を示す液晶表示装置の平面図。
【図３】固定部材のばね部の変形により液晶表示パネルの寸法公差が吸収された状態を示す液晶表示装置の平面図
【図４】固定部材と液晶表示パネルとの位置関係を拡大して示す液晶表示装置の平面図。
【図５】固定部材のばね部の変形により液晶表示パネルの寸法公差が吸収された状態を拡大して示す液晶表示装置の平面図。
【図６】図２のＦ６−Ｆ６線に沿う液晶表示装置の断面図。
【図７】図２のＦ７−Ｆ７線に沿う液晶表示装置の断面図。
【図８】図２のＦ８−Ｆ８線に沿う液晶表示装置の断面図。
【符号の説明】
２…機器本体、３…表示装置（液晶表示装置）、１０…ハウジング、１５ａ，１５ｂ…周壁、２６…表示パネル（液晶表示パネル）、２６ａ…第１の外周縁部、２６ｂ…第２の外周縁部、２７…表示画面、３０…固定部材、３５…第１の固定部、３６ａ，３６ｂ…第２の固定部、３７ａ，３７ｂ…ばね部。
【図１】
0003586215.tif 000002
【図２】
0003586215.tif 000003
【図３】
0003586215.tif 000004
【図４】
0003586215.tif 000005
【図５】
0003586215.tif 000006
【図６】
0003586215.tif 000007
【図７】
0003586215.tif 000008
【図８】
0003586215.tif 000009